(57)【要約】【課題】ベンディングされる領域の耐久性を向上させた可撓性印刷回路フィルムおよびこれを含む表示装置を提供する。【解決手段】本発明の実施形態にかかる表示装置は、表示基板と、表示基板に連結されている可撓性印刷回路フィルムとを含み、可撓性印刷回路フィルムは、ベンディング領域を含む本体と、本体の一側面に配置されている第１カバー層とを含み、第１カバー層は、ベンディング領域の一部を露出する第１開口部を含む。【選択図】図３
2015023278.tif 000002
【特許請求の範囲】
【請求項１】
表示基板と、
前記表示基板に連結されている可撓性印刷回路フィルムとを含み、
前記可撓性印刷回路フィルムは、
ベンディング領域を含む本体と、
前記本体の一側面に配置されている第１カバー層とを含み、
前記第１カバー層は、前記ベンディング領域の一部を露出する第１開口部を含むことを特徴とする、表示装置。
【請求項２】
前記第１カバー層は、前記ベンディング領域の両側周縁に配置されていることを特徴とする、請求項１に記載の表示装置。
【請求項３】
前記ベンディング領域の両側周縁に配置されている前記第１カバー層の幅は、０．５ｍｍ〜１．５ｍｍであることを特徴とする、請求項２に記載の表示装置。
【請求項４】
前記本体の他側面に配置されている第２カバー層をさらに含むことを特徴とする、請求項３に記載の表示装置。
【請求項５】
前記第２カバー層は、前記ベンディング領域の一部を露出する第２開口部を含むことを特徴とする、請求項４に記載の表示装置。
【請求項６】
前記第２カバー層は、前記ベンディング領域の両側周縁に配置されていることを特徴とする、請求項５に記載の表示装置。
【請求項７】
前記ベンディング領域の両側周縁に配置されている前記第２カバー層の幅は、０．５ｍｍ〜１．５ｍｍであることを特徴とする、請求項６に記載の表示装置。
【請求項８】
前記表示基板は、フレキシブル基板であることを特徴とする、請求項１に記載の表示装置。
【請求項９】
ベンディング領域を含む本体と、
前記本体の一側面に配置されている第１カバー層とを含み、
前記第１カバー層は、前記ベンディング領域の一部を露出する第１開口部を含むことを特徴とする、可撓性印刷回路フィルム。
【請求項１０】
前記第１カバー層は、前記ベンディング領域の両側周縁に配置されていることを特徴とする、請求項９に記載の可撓性印刷回路フィルム。
【発明の詳細な説明】
【技術分野】
【０００１】
本発明は、可撓性印刷回路フィルムおよびこれを含む表示装置に関するものである。
【背景技術】
【０００２】
表示装置は、液晶表示装置（ＬＣＤ）、有機発光表示装置（ＯＬＥＤ）などを含み、特に、有機発光表示装置は、画素領域および非画素領域を提供する表示基板と、密封（ｅｎｃａｐｓｕｌａｔｉｏｎ）のために表示基板に対向するように配置され、エポキシのような密封材（ｓｅａｌａｎｔ）によって基板に貼り合わされる密封基板とを含む。
【０００３】
表示基板の画素領域には、ゲートライン（ｇａｔｅ  ｌｉｎｅ）とデータライン（ｄａｔａ  ｌｉｎｅ）との間にマトリクス方式で連結され、画素を構成する複数の発光素子が形成され、非画素領域には、画素領域のゲートラインおよびデータラインから延長しており、パッドを介して外部から提供された信号を処理し、ゲートラインおよびデータラインに供給するゲート駆動部およびデータ駆動部が形成される。
【０００４】
また、表示装置は、表示基板の外部から映像信号を受信して、ゲートラインおよびデータラインにそれぞれ駆動信号を印加する可撓性印刷回路フィルムを含む。
このような可撓性印刷回路フィルムはベンディングされ、その一部が表示基板の下部に位置する。可撓性印刷回路フィルムのベンディング時、ベンディングされる部分で可撓性印刷回路フィルムが破れる問題が発生する。
【先行技術文献】
【特許文献】
【０００５】
【特許文献１】特開２００９−１５８４９２号公報
【発明の概要】
【発明が解決しようとする課題】
【０００６】
本発明が解決しようとする課題は、ベンディングされる領域の耐久性を向上させた可撓性印刷回路フィルムおよびこれを含む表示装置を提供することである。
【課題を解決するための手段】
【０００７】
本発明の実施形態にかかる表示装置は、表示基板と、表示基板に連結されている可撓性印刷回路フィルムとを含み、可撓性印刷回路フィルムは、ベンディング領域を含む本体と、本体の一側面に配置されている第１カバー層とを含み、第１カバー層は、ベンディング領域の一部を露出する第１開口部を含む。
【０００８】
第１カバー層は、ベンディング領域の両側周縁に配置されていてよい。
ベンディング領域の両側周縁に配置されている第１カバー層の幅は、０．５ｍｍ〜１．５ｍｍであるとよい。
本体の他側面に配置されている第２カバー層をさらに含むことができる。
【０００９】
第２カバー層は、ベンディング領域の一部を露出する第２開口部を含むことができる。
第２カバー層は、ベンディング領域の両側周縁に配置されていてよい。
ベンディング領域の両側周縁に配置されている前記第２カバー層の幅は、０．５ｍｍ〜１．５ｍｍであるとよい。
【００１０】
表示基板は、フレキシブル基板であるとよい。
本発明の実施形態にかかる可撓性印刷回路フィルムは、ベンディング領域を含む本体と、本体の一側面に配置されている第１カバー層とを含み、第１カバー層は、ベンディング領域の一部を露出する第１開口部を含む。
【発明の効果】
【００１１】
このように、本発明の実施形態によれば、可撓性印刷回路フィルムのベンディング領域の両側周縁にカバー層を配置し、可撓性印刷回路フィルムのテンションを増加させることなく、ベンディング領域で破れるのを防止することができる。
【図面の簡単な説明】
【００１２】
【図１】本発明の実施形態にかかる表示装置の側面を示した図である。
【図２】本発明の実施形態にかかる可撓性印刷回路フィルムの側面を示した図である。
【図３】本発明の実施形態にかかる可撓性印刷回路フィルムの平面を示した図である。
【図４】図３の可撓性印刷回路フィルムのＩＶ−ＩＶ線に沿った断面図である。
【発明を実施するための形態】
【００１３】
添付した図面を参照して、本発明の好ましい実施形態を詳細に説明する。しかし、本発明は、ここで説明される実施形態に限定されず、他の形態で具体化されてもよい。むしろ、ここで紹介される実施形態は、開示された内容が徹底かつ完全になるように、そして、当業者に本発明の思想が十分に伝達できるようにするために提供されるものである。
【００１４】
図面において、層および領域の厚さは、明確性のために誇張されたものである。また、層が他の層または基板「上」にあると言及された場合、それは、他の層または基板上に直接形成されるか、またはそれらの間に第３の層が介在していてもよい。明細書全体にわたって同一の参照番号で表示された部分は同一の構成要素を意味する。
【００１５】
図１を参照して、本発明の実施形態にかかる表示装置について説明する。
図１は、本発明の実施形態にかかる表示装置の側面を簡略に示した図である。
図１を参照すれば、本発明の実施形態にかかる表示装置は、表示基板２００と、表示基板２００に対向する密封基板３００と、表示基板２００の外部から映像信号を受信して、表示基板２００に伝達する可撓性印刷回路フィルム１００とを含む。
【００１６】
表示基板２００は、フレキシブル基板であるとよく、ゲートラインおよびデータラインに連結され、画素を構成する複数の発光素子を含む。また、表示基板２００には、ゲートラインおよびデータラインに駆動信号を伝達する駆動チップ４００が形成されている。
密封基板３００は、表示基板２００を密封するもので、エポキシのような密封材（ｓｅａｌａｎｔ）によって表示基板２００に貼り合わされるとよい。密封基板３００は、ガラス、石英、セラミックまたはプラスチック材料で形成することができる。
【００１７】
可撓性印刷回路フィルム１００は、ベンディング領域Ｂを含み、一側が表示基板２００に連結されており、ベンディング領域Ｂでベンディングされ、その一部が表示基板２００の下に位置し、その反対側は外部装置（図示せず）に連結されている。
【００１８】
ここで、可撓性印刷回路フィルム１００のベンディング領域Ｂは、表示基板２００に連結された部分と、表示基板２００の下に位置し、表示基板２００と平行に伸びている部分との間に位置する。
【００１９】
以下、図２〜図４を参照して、本発明の実施形態にかかる可撓性印刷回路フィルムについて詳細に説明する。
図２は、本発明の実施形態にかかる可撓性印刷回路フィルムの側面を示した図であり、図３は、本発明の実施形態にかかる可撓性印刷回路フィルムの平面を示した図であり、図４は、図３の可撓性印刷回路フィルムのＩＶ−ＩＶ線に沿った断面図である。
【００２０】
図２〜図４を参照すれば、本発明の実施形態にかかる可撓性印刷回路フィルム１００は、本体１０と、本体１０上に配置されている第１カバー層２０と、本体１０の下に配置されている第２カバー層３０とを含む。
【００２１】
第１カバー層２０および第２カバー層３０は、本体１０を保護するためのもので、接着剤によって本体１０と付着している。また、第１カバー層および第２カバー層の長さは、本体１０の長さよりも短いとよい。
本体１０は、駆動チップ４００に駆動信号を伝達するための配線が含まれている。
【００２２】
本体１０は、ベンディング領域Ｂを含む。第１カバー層２０および第２カバー層３０は、本体１０の全面に配置されておらず、本体１０のベンディング領域Ｂの一部を露出する第１開口部２１および第２開口部３１をそれぞれ含む。つまり、ベンディング領域Ｂにおいて、第１カバー層２０および第２カバー層３０は、両側周縁にのみそれぞれ配置されている。一方、第１開口部２１および第２開口部３１は、ベンディング領域Ｂの外部に延長していてもよい。
【００２３】
本体１０のベンディング領域Ｂに第１カバー層２０および第２カバー層３０がない場合には、ベンディング領域Ｂの耐久性が低下し、ベンディング領域Ｂの周縁が破れることがある。また、第１カバー層２０および第２カバー層３０が本体１０のベンディング領域Ｂの全面に形成されている場合、本体１０のテンション（ｔｅｎｓｉｏｎ）が増加し、表示基板２００から浮く現象が生じることがある。
【００２４】
そこで、本実施形態のように、第１カバー層２０および第２カバー層３０を、本体１０のベンディング領域Ｂにおいて、両側周縁にそれぞれ配置させ、本体１０のテンションを増加させることなく、ベンディング領域Ｂの耐久性を向上させることができる。
【００２５】
本体１０のベンディング領域Ｂの両側周縁に配置されている第１カバー層２０および第２カバー層３０の幅はそれぞれ、０．５ｍｍ〜１．５ｍｍが好ましい。
このように、可撓性印刷回路フィルムのベンディング領域の両側周縁にカバー層を配置し、可撓性印刷回路フィルムのテンションを増加させることなく、ベンディング領域で破れるのを防止することができる。
【００２６】
以上、本発明の好ましい実施形態について詳細に説明したが、本発明の権利範囲は、これに限定されるものではなく、以下の請求の範囲で定義している本発明の基本概念を利用した当業者の様々な変形および改良形態も本発明の権利範囲に属する。
【符号の説明】
【００２７】
１０：本体
２０：第１カバー層
２１：第１開口部
３０：第２カバー層
３１：第２開口部
１００：可撓性印刷回路フィルム
２００：表示基板
３００：密封基板
４００：駆動チップ
【図１】
2015023278.tif 000003
【図２】
2015023278.tif 000004
【図３】
2015023278.tif 000005
【図４】
2015023278.tif 000006